(57)【要約】【課題】埋立地の掘削作業範囲及び埋め戻し作業範囲の移動に効率よく対応し、作業性の向上を図ることができる廃棄物処分場の減容処理システム及び減容処理方法を提供する。【解決手段】埋立地１の外側に設置した廃棄物を選別・減容処理する選別・減容装置４と、埋立地１の外周側に沿うように配置され、埋立地１から掘り起こされた廃棄物５を選別・減容装置４に搬入するための搬入コンベア６と、埋立地１の外周側に沿うように配置され、選別・減容装置４から選別・減容処理された廃棄物８等を埋立地１に搬出するための搬出コンベア７とを備える。【選択図】図１
2005131582.tif 000002
【特許請求の範囲】
【請求項１】
埋立地の外側に設置した廃棄物を選別・減容処理する選別・減容装置と、前記埋立地の外周側に沿うように配置され、前記埋立地から掘り起こされた廃棄物を前記選別・減容装置に搬入するための搬入コンベアと、前記埋立地の外周側に沿うように配置され、前記選別・減容装置から選別・減容処理された廃棄物を前記埋立地に搬出するための搬出コンベアとを備えたことを特徴とする廃棄物処分場の減容処理システム。
【請求項２】
請求項１記載の廃棄物処分場の減容処理システムにおいて、前記搬入コンベア及び前記搬出コンベアは、複数のコンベア装置を前記埋立地の外周側に連接して設けたことを特徴とする廃棄物処分場の減容処理システム。
【請求項３】
請求項１又は２記載の廃棄物処分場の減容処理システムにおいて、前記埋立地上に配置され、前記埋立地から掘り起こした廃棄物を前記搬入コンベアに搬送する第１の搬送コンベアと、前記埋立地上に配置され、前記搬出コンベアから搬出される廃棄物を前記埋立地の所定位置に搬送する第２の搬送コンベアとをさらに備えることを特徴とする廃棄物処分場の減容処理システム。
【請求項４】
埋立地の外周側に沿うように配置した搬入コンベアにより、前記埋立地から掘り起こした廃棄物を前記埋立地の外側に設置した選別・減容装置に搬入し、この搬入した廃棄物を前記選別・減容装置で選別・減容処理した後、前記埋立地の外周側に沿うように配置した搬出コンベアにより前記埋立地へと搬出して埋め戻すことを特徴とする廃棄物処分場の減容処理方法。
【発明の詳細な説明】
【技術分野】
【０００１】
本発明は、廃棄物処分場の減容処理システム及び減容処理方法に関するものである。
【背景技術】
【０００２】
近年、廃棄物の排出量の高水準での推移とこれを埋設する廃棄物処分場の設置の減少に伴って、廃棄物処分場の残余容量がひっ迫しており、廃棄物処分場の延命化が要望されている。そこで、処分場に埋め立てた廃棄物を掘り起こし、この掘り起こした廃棄物を選別し、選別された土砂のような不燃物は埋立地に埋め戻し、また選別された可燃物は焼却、溶融、圧縮等により減容して埋立地に埋め戻すことで、廃棄物処分場の減容化を図る方法が提唱されている（例えば、特許文献１参照）。
【０００３】
【特許文献１】特開平９−１５０１２５号公報
【発明の開示】
【発明が解決しようとする課題】
【０００４】
しかしながら、上記従来技術には以下のような課題が存在する。
例えば廃棄物を選別処理する選別装置及びこの選別処理された廃棄物を減容処理する減容装置等を埋立地上に配置する場合は、それらの配置場所を掘り起こす度に選別装置及び減容装置を移動させる段取りが必要となる。そのため、埋立地の掘削作業範囲及び埋戻し作業範囲の移動に伴う配置換え作業の負担が増大し、作業性が低下する恐れがあった。
【０００５】
本発明は、上記の事柄に基づいてなされたものであり、その目的は、埋立地の掘削作業範囲及び埋め戻し作業範囲の移動に効率よく対応し、作業性の向上を図ることができる廃棄物処分場の減容処理システム及び減容処理方法を提供することにある。
【課題を解決するための手段】
【０００６】
（１）上記目的を達成するために、本発明の廃棄物処分場の減容処理システムは、埋立地の外側に設置した廃棄物を選別・減容処理する選別・減容装置と、前記埋立地の外周側に沿うように配置され、前記埋立地から掘り起こされた廃棄物を前記選別・減容装置に搬入するための搬入コンベアと、前記埋立地の外周側に沿うように配置され、前記選別・減容装置から選別・減容処理された廃棄物を前記埋立地に搬出するための搬出コンベアとを備える。
【０００７】
本発明においては、選別・減容装置を埋立地の外側に設置するとともに、この選別・減容装置に廃棄物を搬入するための搬入コンベアと選別・減容装置から埋立地に廃棄物を搬出するための搬出コンベアとを埋立地の外周側に沿うように配置する。これにより、埋立地から掘り起こした廃棄物を選別・減容装置に定量的に搬入して選別・減容処理し、この選別・減容処理した廃棄物を埋立地に定量的に搬出し埋め戻すことができる。また、搬入コンベア及び搬出コンベアが埋立地の外周側に沿うように配置されるので、埋立地内の搬送距離（詳細には、埋立地の掘削作業範囲から搬入コンベアまでの搬送距離及び埋立地の埋戻し作業範囲から搬出コンベアまでの距離）を比較的短くすることができ、それら埋立地内の搬送手段としての例えば搬送コンベア等の配置換え作業を低減することができる。したがって、埋立地の掘削作業範囲及び埋戻し作業範囲の移動に効率よく対応し、廃棄物処分場の減容処理における作業性の向上を図ることができる。
【０００８】
（２）上記（１）において、好ましくは、前記搬入コンベア及び前記搬出コンベアは、複数のコンベア装置を前記埋立地の外周側に連接して設ける。
【０００９】
（３）上記（１）又は（２）において、また好ましくは、前記埋立地上に配置され、前記埋立地から掘り起こした廃棄物を前記搬入コンベアに搬送する第１の搬送コンベアと、前記埋立地上に配置され、前記搬出コンベアから搬出される廃棄物を前記埋立地の所定位置に搬送する第２の搬送コンベアとをさらに備える。
【００１０】
（４）上記目的を達成するために、本発明の廃棄物処分場の減容処理方法は、埋立地の外周側に沿うように配置した搬入コンベアにより、前記埋立地から掘り起こした廃棄物を前記埋立地の外側に設置した選別・減容装置に搬入し、この搬入した廃棄物を前記選別・減容装置で選別・減容処理した後、前記埋立地の外周側に沿うように配置した搬出コンベアにより前記埋立地へと搬出して埋め戻す。
【発明の効果】
【００１１】
本発明によれば、埋立地の掘削作業範囲及び埋め戻し作業範囲の移動に効率よく対応し、廃棄物処分場の減容処理における作業性の向上を図ることができる。
【発明を実施するための最良の形態】
【００１２】
以下、本発明の一実施形態を図面を参照しつつ説明する。
【００１３】
図１は、略長方形状の埋立地に適用された本発明の廃棄物処分場の減容処理システムの一実施形態の概略構成を表す平面図である。
【００１４】
この図１において、１は廃棄物が堆積された堆積区画２（図１中右上斜線で図示）と廃棄物が堆積されていない空区画３とを有する略長方形状の埋立地であり、４はこの埋立地１の外側一方側（図１中上側）に設置され、堆積区画２から掘り起こされた廃棄物５（後述の図４参照）を選別・減容処理する選別・減容装置であり、６は堆積区画２の外周側（図１中右上側・右側・右下側）に沿うように配置され、選別・減容装置４に廃棄物５を搬入するため複数のコンベア装置（以下、総称して搬入コンベアという）であり、７は空区画３（または後述の埋設区画）の外周側（図１中上側）に沿うように配置され、選別・減容装置４で選別・減容処理された廃棄物８等（後述の図４参照）を搬出するための複数のコンベア装置（以下、総称して搬出コンベアという）である。
【００１５】
また、９は廃棄物５が掘り起こされた埋立地１の掘削区画（言い換えれば空区画）であり、１０は埋立地１内に配置され、掘り起こされた廃棄物５を搬入コンベア６に搬送する搬送コンベア（図１では１台のコンベア装置）であり、１１は埋立地１内に配置され、搬出コンベア７からの廃棄物８を搬送する搬送コンベア（図１では１台のコンベア装置）であり、１２は搬送コンベア１１からの廃棄物８が埋め戻された埋立地１の埋設区画（図１中左上斜線で図示）である。
【００１６】
図２は、廃棄物５を掘り起こすための掘削用油圧ショベルの側面図である。
【００１７】
この図２において、掘削用油圧ショベル１３は、左・右の無限軌道履体１４，１４（但し一方の１４のみ図２に図示）を備えた走行体１５と、この走行体１５に旋回装置１６を介し旋回可能に設けた旋回体１７と、この旋回体１７の前方に回動可能に設けられ、ブーム１８、アーム１９、及び掘削作業具（バケット）２０からなる多関節型のフロント装置２１とを備えている。そして、この掘削用油圧ショベル１３のフロント装置２１の動作により廃棄物５が掘り起こされ、その廃棄物５が上記搬送コンベア１０に投入されるようになっている。
【００１８】
図３は、上記搬送コンベア１０，１１の全体構造を表す側面図である。
【００１９】
この図３において、上記搬送コンベア１０，１１は、コンベアフレーム２２に支持された一方側（図３中左下側）の駆動輪（図示せず）及び他方側（図３中右上側）の従動輪（図示せず）の間に巻回して設けたベルト（図示せず）を循環駆動し、このベルトにより廃棄物５，８を一方側から他方側へ搬送するベルトコンベア部２３と、このベルトコンベア部２３の一方側に設けられ廃棄物５，８を上方から受け入れるための投入口（ホッパ）２４と、コンベアフレーム２２の下方側（図３中下側）に支持部材２５ａ，２５ｂを介し設けた複数の移動用車輪２６ａ，２６ｂとを備えている。そして、搬送コンベア１０，１１は、上記掘削用油圧ショベル１３等に牽引されて、埋立地１内を移動するようになっている。
【００２０】
上記搬入コンベア６及び上記搬出コンベア７は、その詳細構造を図示しないが、例えば上記搬送コンベア１０，１１同様の構造を有する複数のコンベア装置が連接されて（詳細には、１つのコンベア装置から排出された廃棄物を別のコンベア装置の投入口で受け入れるように配置されて）廃棄物５，８を連続的に搬送するようになっており、また搬送時に廃棄物５，８が落下しないための側板等が設けられている。また、搬入コンベア６及び搬出コンベア７は、上記掘削用油圧ショベル１３等に牽引されて移動可能としている。
【００２１】
図４は、上記選別・減容装置４の配置構成を一例として表す平面図であり、図５は、スクリーン選別装置の全体構造を表す側面図であり、図６は、破砕装置の全体構造を表す側面図である。
【００２２】
これら図４〜図６において、２７は上記搬入コンベア６により搬入された廃棄物５をその大きさで選別するスクリーン選別装置であり、２８はこの自走式スクリーン選別装置２７の投入口（ホッパ）２９に廃棄物５を投入するための例えば把持作業具（グラップル）２８ａを備えた投入用油圧ショベルであり、３０はスクリーン選別装置２７で選別された廃棄物（詳細は後述）を破砕減容する破砕装置であり、３１は投入用油圧ショベル２８同様の構造を有し、破砕装置３０の投入口（ホッパ）３２に前記廃棄物を投入するための例えば把持作業具（グラップル）３１ａを備えた投入用自走式油圧ショベルであり、３３は上記投入用油圧ショベル２８，３１同様の構造を有し、破砕装置３０で破砕減容された廃棄物８等を搬出コンベア７に投入するための例えば把持作業具（グラップル）３３ａを備えた投入用油圧ショベルである。上記選別・減容装置４は、これらスクリーン選別装置２７、破砕装置３０、及び投入用油圧ショベル２８，３１，３３等で構成されている。
【００２３】
スクリーン選別装置２７は、上記投入口２９と、この投入口２９に投入された廃棄物５をその大きさに応じて例えば３種類の大きさに選別するスクリーン選別部（詳細は図示しないが、例えば複数段配設された櫛歯体の櫛歯の間隙寸法に基づき、廃棄物５をその大きさで選別する構造等）３４と、このスクリーン選別部３４の下方に設けられ左・右の無限軌道履体３５，３５（但し一方の３５のみ図５に図示）を備えた走行体３６と、スクリーン選別部３４で選別された３種類の廃棄物のうち最も粒度の大きい廃棄物３７Ｌを排出するオーバーコンベア３８と、中程度の粒度の廃棄物３７Ｍを排出するミドルコンベア３９と、最も粒度の小さい廃棄物３７Ｓを排出するアンダーコンベア４０とを備えている。
【００２４】
そして、小粒度廃棄物（例えば比較的小粒度の土砂）３７Ｓは埋立地１の覆土等として利用され、中粒度廃棄物３７Ｍ及び大粒度廃棄物３７Ｌは、上記投入用油圧ショベル３１により上記破砕装置３０に投入され破砕減容される。なお、図示しないが、中粒度廃棄物３７Ｍ及び大粒度廃棄物３７Ｌは、例えば金属類及びプラスチック類等を選別したり、例えば公知の圧縮装置及び焼却装置等により圧縮減容及び焼却減容されてもよい。
【００２５】
破砕装置３０は、上記投入口３２と、この投入口３２に投入された大粒度廃棄物３７Ｌ及び中粒度廃棄物３７Ｍを破砕する破砕部４１と、この破砕部４１の下方に設けられ左・右の無限軌道履体４２，４２（但し一方の４２のみ図６に図示）を備えた走行体４３と、破砕部４１で破砕減容された廃棄物８を排出する排出コンベア４４とを備えている。
【００２６】
次に、本実施形態による廃棄物処分場の減容処理方法の詳細手順を説明する。
【００２７】
処分場に埋め立てた廃棄物の減容処理を目的として、まず、作業者は掘削用油圧ショベル１３により埋立地１の堆積区画２から廃棄物５を掘り起こし、この掘り起こした廃棄物５を搬送コンベア１０の投入口２５に投入する。搬送コンベア１０により廃棄物５を堆積区画１の外周側（前述の図１中下側）の搬入コンベア６に搬送し、搬入コンベア６により廃棄物５を埋立地１の外側に設置した選別・減容装置４に搬入する。そして、スクリーン選別装置２７により大粒度廃棄物３７Ｌ、中粒度廃棄物３７Ｍ、小粒度廃棄物３７Ｓの３種類の大きさに選別し、そのうち大粒度廃棄物３７Ｌ及び中粒度廃棄物３７Ｍを投入用油圧ショベル３１により破砕装置３０の投入口３２に投入し、破砕装置３０により破砕減容する。この破砕減容した廃棄物８（又は選別した小粒度廃棄物３７Ｓ）を投入用油圧ショベル３３により搬出コンベア７に投入し、搬出コンベア７により埋設区画１２の外周側（前述の図１中上側）に搬送する。そして、搬出コンベア７からの廃棄物８を搬送コンベア１０により埋設区画１２の所定位置に搬送して埋め戻す。この埋め戻した廃棄物８は、そのまま堆積するか、あるいは上記掘削用油圧ショベル１３を走行させる等して踏み固める。
【００２８】
このように本実施形態においては、選別・減容装置４を埋立地１の外側に設置するとともに、搬入コンベア６及び搬出コンベア７を埋立地１の外周側に沿うように配置する。これにより、埋立地１の堆積区画２から掘り起こした廃棄物５を選別・減容装置４に定量的に搬入して選別・減容処理し、この選別・減容処理した廃棄物８等を埋立地１に定量的に搬出し埋め戻すことができる。
【００２９】
また、本実施形態においては、搬入コンベア６及び搬出コンベア７を、埋立地１の掘削作業範囲（掘削区画９）及び埋戻し作業範囲（埋設区画１２）に近づくように埋立地１の外周側に沿って配置するので、埋立地１内の搬送距離（詳細には、埋立地１の掘削作業範囲から搬入コンベア６までの搬送距離及び埋立地１の埋戻し作業範囲から搬出コンベア７までの搬送距離）、すなわち搬送コンベア１０，１１の搬送距離を比較的短くすることができる。このような効果は、掘削作業範囲及び埋戻し作業範囲が移動する場合に顕著となる。
【００３０】
図７は、掘削作業範囲及び埋戻し作業範囲の移動に伴う本実施形態の廃棄物処分場の減容処理方法を説明するための平面図である。
【００３１】
この図７に示すように、掘削作業が進むにつれて埋立地１の掘削作業範囲（図７中掘削区画９の右側領域）が図７中右側へ移動し、これに応じて搬送コンベア１０を例えば位置Ａ１→位置Ａ２→位置Ａ３に移動させる。なお、このとき、搬送コンベア１０の移動に伴って不要となった搬入コンベア６（図７中破線で図示）は撤去してもよい。また埋戻し作業が進むにつれて、埋立地１の埋戻し作業範囲（埋設区画１２）が図７中左下側へ移動し、これに応じて搬出コンベア７を埋設
区画１２の外周側（図７中上側・左上側）に沿うように追加配置する（前述の不要となった搬入コンベア６を移動させてもよい）とともに、搬送コンベア１１を例えば位置Ｂ１→位置Ｂ２→位置Ｂ３に移動させる。
【００３２】
以上のように本実施形態においては、搬送距離が比較的短い搬送コンベア１０，１１を移動させて、埋立地１の掘削作業範囲及び埋戻し作業範囲の移動に効率よく対応することができる。したがって、廃棄物処分場の減容処理における作業性の向上を図ることができる。
【００３３】
なお、上記一実施形態においては、搬入コンベア６及び搬出コンベア７を、埋立地１の掘削作業範囲及び埋戻し作業範囲に近づくように埋立地１の外周側に沿って配置する構成について説明したが、これに限らない。すなわち、例えば図８に示すように、複数のコンベア装置４５をそれら搬送方向を同じとしつつ（図８中埋立地１の外周側を左回り）埋立地１の外周側全周に沿って連接し、これら複数のコンベア装置４５のうち搬出コンベア６及び搬出コンベア７を選択的に構成して、埋立地１の掘削作業範囲及び埋戻し作業範囲の移動に対応してもよい。この場合には、上記一実施形態に比べ、搬入コンベア６及び搬出コンベア７の配置換え作業が低減され、さらに作業性の向上を図ることができる。
【００３４】
また、例えば図９に示すように、搬入コンベア６及び搬出コンベア７を、選別・減容装置４から比較的遠い場所まで埋立地１の外周側に沿って配置する構成としてもよい。すなわち、図示のように、搬入コンベア６’を堆積区画２の外周側に沿って堆積区画２の図９中右下側まで配置し、搬送コンベア１０’を図９中右側から左側に向けて配置してもよい（言い換えれば、上記一実施形態において堆積区画２の図７中下側に配置されていた搬出コンベア６を、堆積区画２内に配置することで搬送コンベア１０として構成してもよい）。この場合は搬送コンベア１０’を位置Ｃ１→位置Ｃ２→位置Ｃ３に移動させて、埋立地１の掘削作業範囲の移動に対応することができる。このとき、上記一実施形態に比べ、埋立地１内の搬送距離が若干長くなることがあるものの（位置Ｃ１での搬送コンベア１０’の搬送距離が比較的長くなる）、搬入コンベア６と搬送コンベア１０’とを合わせた搬送距離は比較的短くすることができる。
【００３５】
また、上記一実施形態においては、搬入コンベア６、搬出コンベア７、及び搬送コンベア１０，１１は、掘削用油圧ショベル１３等に牽引されて移動可能とする構造を例に取り説明したが、これに限られず、例えば左・右の無限軌道履体等を備えた走行体を備え、自走可能な構造としてもよいことは言うまでもない。
【００３６】
また、上記一実施形態においては、略長方形状の埋立地１に適用した例について説明したが、これに限られず、例えば多角形状（詳細には、五角形状、六角形状、……等）または略扇形状等の埋立地に適用してもよい。
【００３７】
図１０は、本発明の廃棄物処分場の減容処理システムの上記一実施形態を多角形状の埋立地に適用した場合の概略構成を表す平面図であり、図１１は、略扇形状の埋立地に適用した場合の概略構成を表す平面図である。なお、これら図１０及び図１１において、上記一実施形態と同等の部分には同一の符号を付し、適宜説明を省略する。
【００３８】
図１０において、４６は廃棄物が堆積された堆積区画４７と廃棄物が堆積されていない空区画４８とを有する略六角形状の埋立地であり、この埋立地４６の外側一方側（図１０中上側）には上記選別・減容装置４が設置されている。また、略六角形状の埋立地４６の堆積区画４７の外周側（図１０中右上側・右側・右下側）に沿うように上記搬入コンベア６が配置され、埋立地４６の空区画４８（または埋設区画１２）の外周側（図１０中左上側・左側）に沿うように上記搬出コンベア７が配置されている。そして、埋立地４６の掘削作業範囲が図１０中右下側へ移動すると、これに応じて搬送コンベア１０を例えば位置Ｄ１→位置Ｄ２→位置Ｄ３に移動させ、また埋立地４６の埋戻し作業範囲が図１０中左下側へ移動すると、これに応じて搬送コンベア１１を例えば位置Ｂ１→位置Ｂ２→位置Ｂ３に移動させる。したがって、多角形状の埋立地においても、上記一実施形態同様、掘削作業範囲及び埋戻し作業範囲の移動に効率よく対応し、廃棄物処分場の減容処理における作業性の向上を図ることができる。
【００３９】
図１１において、４９は廃棄物が堆積された堆積区画５０と廃棄物が堆積されていない空区画５１とを有する略扇形状の埋立地であり、この埋立地４９の外側一方側（図１１中左上側）には上記選別・減容装置４が設置されている。また、略扇形状の埋立地４９の堆積区画５０の外周側（図１１中右上側・右側・右下側）に沿うように上記搬入コンベア６が配置され、埋立地４９の空区画５１（または埋設区画１２）の外周側（図１１中左上側）に沿うように上記搬出コンベア７が配置されている。そして、埋立地４９の掘削作業範囲が図１１中右側へ移動すると、これに応じて搬送コンベア１０を例えば位置Ｅ１→位置Ｅ２に移動させ、また埋立地４９の埋戻し作業範囲が図１１中下側へ移動すると、これに応じて搬送コンベア１１を例えば位置Ｆ１→位置Ｆ２に移動させる。したがって、略扇形状の埋立地４９においても、上記一実施形態同様、掘削作業範囲及び埋戻し作業範囲の移動に効率よく対応し、廃棄物処分場の減容処理における作業性の向上を図ることができる。
【００４０】
他の実施形態を図１２により説明する。
本実施形態は、埋立地の外側一方側に上記選別・減容装置４を設置するとともに、埋立地の外側一方側のみに上記搬入コンベア及び上記搬出コンベアを配置した実施形態である。
【００４１】
図１２は、本実施形態による廃棄物処分場の減容処理システムの概略構成を表す略長方形状の埋立地の平面図である。なお、この図１２において、上記一実施形態と同等の部分には同一の符号を付し、適宜説明を省略する。
【００４２】
本実施形態では、略長方形状の埋立地１の外側一方側（図１２中上側）には上記選別・減容装置４が設置されている。５２は略長方形状の埋立地１の外周一方側（上記選別・減容装置４の設置側、図１２中上側）のみに沿うように配置され、上記選別・減容装置４に廃棄物５を搬入するための搬入コンベアであり、５３は埋立地１の外周一方側のみに沿うように配置され、選別・減容装置４で選別・減容処理された廃棄物８等を搬出するための搬出コンベアである。また、５４は埋立地１の外周一方側から外周他方側（図１中下側）に向けて埋立地１に配置され、掘り起こされた廃棄物５を搬入コンベア５２に搬送する搬送コンベアであり、５５は埋立地１の外周一方側から外周他方側に向けて埋立地１に配置され、搬出コンベア５３からの廃棄物８を埋設区画１２に搬送する搬送コンベアである。
【００４３】
そして、埋立地１の掘削作業範囲が図１２中右側へ移動すると、これに応じて搬送コンベア５４を例えば位置Ｇ１→位置Ｇ２→位置Ｇ３に移動させ、また埋立地１の埋戻し作業範囲が図１２中左下側へ移動すると、これに応じて搬送コンベア５５を例えば位置Ｈ１→位置Ｈ２に移動させ、搬送コンベア５５を追加配置する。
【００４４】
以上のように構成された本実施形態においても、上記一実施形態同様、掘削作業範囲及び埋戻し作業範囲の移動に効率よく対応し、廃棄物処分場の減容処理における作業性の向上を図ることができる。
【００４５】
なお、上記他の実施形態においては、略長方形状の埋立地１に適用した例について説明したが、これに限られず、例えば多角形状（詳細には、五角形状、六角形状、……等）または略扇形状等の埋立地に適用してもよい。
【００４６】
図１３は、本発明の廃棄物処分場の減容処理システムの上記他の実施形態を多角形状の埋立地に適用した場合の概略構成を表す平面図であり、図１４は、略扇形状の埋立地に適用した場合の概略構成を表す平面図である。なお、これら図１３及び図１４において、上記実施形態と同等の部分には同一の符号を付し、適宜説明を省略する。
【００４７】
図１３において、略六角形状の埋立地４６の外側一方側（図１３中上側）には上記選別・減容装置４が設置され、埋立地４６の外周一方側（上記選別・減容装置４の設置側、図１３中上側）のみに沿うように上記搬入コンベア５２及び上記搬出コンベア５３が配置されている。そして、埋立地４６の掘削作業範囲が図１３中右下側へ移動すると、これに応じて搬送コンベア５４を例えば位置Ｉ１→位置Ｉ２に移動させ、搬送コンベア５４を追加配置し、また埋立地４６の埋戻し作業範囲が図１３中左側へ移動すると、これに応じて搬送コンベア５５を例えば位置Ｈ１→位置Ｈ２に移動させ、搬送コンベア５５を追加配置する。したがって、多角形状の埋立地においても、上記実施形態同様、掘削作業範囲及び埋戻し作業範囲の移動に効率よく対応し、廃棄物処分場の減容処理における作業性の向上を図ることができる。
【００４８】
図１４において、略扇形状の埋立地４９の外側一方側（図１４中左上側）には上記選別・減容装置４が設置され、埋立地４９の外周一方側（上記選別・減容装置４の設置側、図１４中左上側）のみに沿うように上記搬入コンベア５２及び上記搬出コンベア５３が配置されている。そして、埋立地４９の掘削作業範囲が図１４中右側へ移動すると、これに応じて搬送コンベア５４を例えば位置Ｊ１→位置Ｊ２に移動させ、また埋立地４９の埋戻し作業範囲が図１４中下側へ移動すると、これに応じて搬送コンベア５５を例えば位置Ｋ１→位置Ｋ２に移動させる。したがって、略扇形状の埋立地４９においても、上記実施形態同様、掘削作業範囲及び埋戻し作業範囲の移動に効率よく対応し、廃棄物処分場の減容処理における作業性の向上を図ることができる。
【００４９】
さらに他の実施形態を図１５により説明する。
本実施形態は、埋立地の外側一方側及び他方側に選別・減容装置をそれぞれ設置するとともに、埋立地の外側一方側及び他方側に上記搬入コンベア及び上記搬出コンベアを配置した実施形態である。
【００５０】
図１５は、本実施形態による廃棄物処分場の減容処理システムの概略構成を表す略長方形状の埋立地の平面図である。なお、この図１５において、上記実施形態と同等の部分には同一の符号を付し、適宜説明を省略する。
【００５１】
本実施形態では、２つの上記選別・減容装置４，４’が略直方形状の埋立地１’の外側一方側（図１５中上側）及び他方側（図１５中下側）に設置され、埋立地１’の外周一方側（選別・減容装置４の設置側、図１５中上側）に沿うように搬入コンベア５２及び搬出コンベア５３が配置され、埋立地１’の外周他方側（選別・減容装置４’の設置側、図１５中下側）に沿うように搬入コンベア５２’及び搬出コンベア５３’が配置されている。そして、堆積区画２’から掘り起こされた廃棄物５を搬送コンベア５４（または５４’、以降対応同じ）及び搬入コンベア５２（または５２’）により選別・減容装置４（または４’）に搬入して選別・減容処理し、この選別・減容処理した廃棄物８等を搬送コンベア５５（または５５’）及び搬出コンベア５３（または５３’）により埋立地１’の埋設区画１２（または１２’）に搬出し埋め戻す。
【００５２】
そして、例えば埋立地１’の中央で掘削作業を進め、その掘削作業範囲が図１５中右側へ移動すると、これに応じて搬送コンベア５４を例えば位置Ｇ１→位置Ｇ２→位置Ｇ３、搬送コンベア５４’を例えば位置Ｇ１’→位置Ｇ２’→位置Ｇ３’に移動させ、また埋立地１’の埋戻し作業範囲が図１５中左側へ移動すると、これに応じて搬送コンベア５５を例えば位置Ｈ１→位置Ｈ２に移動させて搬送コンベア５５を追加配置し、搬送コンベア５５’を例えば位置Ｈ１’→位置Ｈ２’に移動させて搬送コンベア５５’を追加配置する。
【００５３】
以上のように構成された本実施形態においても、上記実施形態同様、掘削作業範囲及び埋戻し作業範囲の移動に効率よく対応し、廃棄物処分場の減容処理における作業性の向上を図ることができる。
【図面の簡単な説明】
【００５４】
【図１】本発明の廃棄物処分場の減容処理システムの一実施形態の概略構成を表す略長方形状の埋立地の平面図である。
【図２】本発明の廃棄物処分場の減容処理システムの一実施形態を構成する掘削用油圧ショベルの全体構造を表す側面図である。
【図３】本発明の廃棄物処分場の減容処理システムの一実施形態を構成するコンベアの全体構造を表す側面図である。
【図４】本発明の廃棄物処分場の減容処理システムの一実施形態を構成する選別・減容装置の配置構成を表す平面図である。
【図５】図４中矢印Ｖ方向から見た側面図であり、本発明の廃棄物処分場の減容処理システムの一実施形態を構成するスクリーン選別装置の全体構造を表す。
【図６】図４中矢印VI方向から見た側面図であり、本発明の廃棄物処分場の減容処理システムの一実施形態を構成する破砕装置の全体構造を表す。
【図７】本発明の廃棄物処分場の減容処理方法の一実施形態の詳細手順を説明するための略長方形状の埋立地の平面図である。
【図８】本発明の廃棄物処分場の減容処理システムの一変形例の概略構成を表す略長方形状の埋立地の平面図である。
【図９】本発明の廃棄物処分場の減容処理システムの他の変形例の概略構成を表す略長方形状の埋立地の平面図である。
【図１０】本発明の廃棄物処分場の減容処理システムの一実施形態を多角形状の埋立地に適用した場合の概略構成を表す平面図である。
【図１１】本発明の廃棄物処分場の減容処理システムの一実施形態を略扇形状の埋立地に適用した場合の概略構成を表す平面図である。
【図１２】本発明の廃棄物処分場の減容処理システムの他の実施形態の概略構成を表す略長方形状の埋立地の平面図である。
【図１３】本発明の廃棄物処分場の減容処理システムのさらに他の変形例を多角形状の埋立地に適用した場合の概略構成を表す平面図である。
【図１４】本発明の廃棄物処分場の減容処理システムのの他の実施形態を略扇形状の埋立地に適用した場合の概略構成を表す平面図である。
【図１５】本発明の廃棄物処分場の減容処理システムのさらに他の実施形態を略長方形状埋立地に適用した場合の概略構成を表す平面図である。
【符号の説明】
【００５５】
１    略長方形状の埋立地
４    選別・減容装置
５    廃棄物
６    搬入コンベア
７    搬出コンベア
８    廃棄物
１０  搬送コンベア（第１の搬送コンベア）
１１  搬送コンベア（第２の搬送コンベア）
４６  略六角形状の埋立地
４９  略扇形状の埋立地
５２  搬入コンベア
５３  搬出コンベア
５４  搬送コンベア（第１の搬送コンベア）
５５  搬送コンベア（第２の搬送コンベア）
【図１】
2005131582.tif 000003
【図２】
2005131582.tif 000004
【図３】
2005131582.tif 000005
【図４】
2005131582.tif 000006
【図５】
2005131582.tif 000007
【図６】
2005131582.tif 000008
【図７】
2005131582.tif 000009
【図８】
2005131582.tif 000010
【図９】
2005131582.tif 000011
【図１０】
2005131582.tif 000012
【図１１】
2005131582.tif 000013
【図１２】
2005131582.tif 000014
【図１３】
2005131582.tif 000015
【図１４】
2005131582.tif 000016
【図１５】
2005131582.tif 000017